(57)【要約】【課題】センサへの電源供給に伴う待機電力の増加を抑制しつつ、夜間時においても買電電力の演算・表示が行えるパワーコンディショナを提供する。【解決手段】太陽電池発電部１または電力系統３から電源供給を受けて動作する制御部２４を備えたパワーコンディショナ２において、太陽電池発電部１からの入力電圧が所定の省電力モード開始閾値電圧未満になると、制御部２４が、買電電力の演算に必要なセンサと、太陽電池発電部１の発電状況を把握するためのセンサのみに電源供給を行わせ、その他のセンサへの電源供給を停止する省電力モード制御を実行する。これにより、買電電力の演算と太陽電池発電部の発電状況の監視は行いつつ、電源供給が不要なセンサへの電源供給を停止し、無駄な電力消費を抑制する。【選択図】図１
2015104234.tif 000002
【特許請求の範囲】
【請求項１】
コンバータ部とインバータ部とを備え、太陽電池発電部で発電された電力を電力系統に連系させるパワーコンディショナであって、
前記パワーコンディショナを制御する制御部が、前記太陽電池発電部または前記電力系統から電源供給を受けて動作するように構成されたものにおいて、
前記制御部は、少なくとも、前記太陽電池発電部からの入力電圧を検出する入力電圧センサと、前記太陽電池発電部からの入力電流を検出する入力電流センサと、前記コンバータ部とインバータ部の間のＤＣリンク部の電圧を検出するＤＣリンク電圧センサと、前記インバータ部の出力電流を検出する出力電流センサと、前記電力系統の電圧を検出する系統電圧センサと、前記電力系統からの買電電力演算用の購入電流センサとを備え、
前記入力電圧センサで検出される入力電圧が所定の省電力モード開始閾値電圧未満になると、前記入力電圧センサ、前記系統電圧センサおよび前記購入電流センサへの電源供給は継続する一方、前記制御部が備えるその他のセンサへの電源供給は停止させる省電力モード制御を実行する制御構成を備えていることを特徴とするパワーコンディショナ。
【請求項２】
前記省電力モード制御における前記入力電圧センサへの電源供給は間欠的に行われることを特徴とする請求項１に記載のパワーコンディショナ。
【請求項３】
前記省電力モード制御は、前記入力電圧センサで検出される入力電圧が所定の省電力モード終了閾値電圧以上になると解除されることを特徴とする請求項１または２に記載のパワーコンディショナ。
【発明の詳細な説明】
【技術分野】
【０００１】
この発明はパワーコンディショナに関し、より詳細には、パワーコンディショナを制御する制御部が太陽電池発電部または電力系統から電源供給を受けて動作できるように構成されたパワーコンディショナに関する。
【背景技術】
【０００２】
従来、太陽電池発電部で発電された電力を商用電源などの電力系統に連系させるパワーコンディショナ（系統連系インバータ装置）においては、太陽電池発電部が発電を行わない夜間はパワーコンディショナへの電源供給が不要であり、夜間時にパワーコンディショナで電力が消費されることはなかった。
【０００３】
しかし、近年になって、電力系統からの買電電力を演算・表示する機能を備えたパワーコンディショナが提案されるようになり、このようなパワーコンディショナにおいては、夜間時の買電電力の演算・表示も望まれている。
【０００４】
そのため、最近では、夜間時の買電電力の演算・表示ができるように、制御部が、太陽電池発電部が発電を行っている日中は太陽電池発電部から電源供給を受ける一方、太陽電池発電部が発電を行っていない夜間は電力系統から電源供給を受けるように構成されたパワーコンディショナが提案されている（たとえば、特許文献１参照）。
【先行技術文献】
【特許文献】
【０００５】
【特許文献１】特開２０１３−９９０５８号公報
【発明の概要】
【発明が解決しようとする課題】
【０００６】
しかしながら、このような構成のパワーコンディショナには以下のような問題があり、その改善が望まれていた。
【０００７】
すなわち、夜間は電力系統から電源供給を受けるように制御部を構成すると、太陽電池発電部が発電を行うことがないにも関わらず、夜間の間ずっと制御部に備えられたすべてのセンサ（ここで、センサには、センサからの信号を制御部に入力するためのセンサ回路を含む。以下、同様である。）に電源供給が行われることとなる。その一方、買電電力の演算に必要なセンサは、電力系統の電圧を検出する系統電圧センサと買電力演算用の購入電流センサだけであるので、その他のセンサへの電源供給は無駄に電力を消費するものとなっていた。
【０００８】
本発明は、このような従来の問題点に鑑みてなされたものであって、その目的とするところは、センサへの電源供給に伴う待機電力の増加を抑制しつつ、夜間時においても買電電力の演算・表示が行えるパワーコンディショナを提供することにある。
【課題を解決するための手段】
【０００９】
上記目的を達成するため、本発明の請求項１に記載のパワーコンディショナは、コンバータ部とインバータ部とを備え、太陽電池発電部で発電された電力を電力系統に連系させるパワーコンディショナであって、上記パワーコンディショナを制御する制御部が、上記太陽電池発電部または上記電力系統から電源供給を受けて動作するように構成されたものにおいて、上記制御部は、少なくとも、上記太陽電池発電部からの入力電圧を検出する入力電圧センサと、上記太陽電池発電部からの入力電流を検出する入力電流センサと、上記コンバータ部とインバータ部の間のＤＣリンク部の電圧を検出するＤＣリンク電圧センサと、上記インバータ部の出力電流を検出する出力電流センサと、上記電力系統の電圧を検出する系統電圧センサと、上記電力系統からの買電電力演算用の購入電流センサとを備え、上記入力電圧センサで検出される入力電圧が所定の省電力モード開始閾値電圧未満になると、上記入力電圧センサ、上記系統電圧センサおよび上記購入電流センサへの電源供給は継続する一方、上記制御部が備えるその他のセンサへの電源供給は停止させる省電力モード制御を実行する制御構成を備えていることを特徴とする。
【００１０】
請求項１に記載のパワーコンディショナは、パワーコンディショナを制御する制御部が、太陽電池発電部または電力系統から電源供給を受けて動作するように構成される。すなわち、制御部は、太陽電池発電部が発電を行っている日中は太陽電池発電部側から、太陽電池発電部が発電を行っていない夜間は電力系統側から電源供給を受けるように構成される。
【００１１】
そして、太陽電池発電部からの入力電圧が所定の省電力モード開始閾値電圧未満になると、制御部は、買電電力の演算に必要なセンサ（電力系統の電圧を検出する系統電圧センサと買電電力演算用の購入電流センサ）と、太陽電池発電部の発電状況（発電再開の有無）を把握するためのセンサ（入力電圧センサ）のみに電源供給を行い、その他のセンサへの電源供給は停止する省電力モード制御を実行する。これにより、買電電力の演算と太陽電池発電部の発電状況の監視は行いつつ、電源供給が不要なセンサへの電源供給が停止され、無駄な電力消費が抑制される。
【００１２】
ここで、省電力モード開始閾値電圧は、パワーコンディショナの動作停止電圧（電力系統に連系可能な交流電力を出力するのに必要な最低入力電圧）以下となるように適宜設定される。すなわち、省電力モード制御は、入力電圧の低下によりパワーコンディショナが動作を停止した後に行われるように設定される。そして好ましくは、この省電力モード開始閾値電圧は、パワーコンディショナの動作停止電圧よりも低い値に設定される。
【００１３】
本発明の請求項２に記載のパワーコンディショナは、請求項１に記載のパワーコンディショナにおいて、上記省電力モード制御における上記入力電圧センサへの電源供給が間欠的に行われることを特徴とする。
【００１４】
請求項２に記載のパワーコンディショナでは、省電力モード制御時に入力電圧センサへの電源供給が間欠的に行われる（たとえば、一定周期で電源オン／オフが繰り返し行われる）ので、省電力モード制御時における入力電圧センサでの消費電力を低減させることができる。
【００１５】
本発明の請求項３に記載のパワーコンディショナは、請求項１または２に記載のパワーコンディショナにおいて、上記省電力モード制御は、上記入力電圧センサで検出される入力電圧が所定の省電力モード終了閾値電圧以上になると解除されることを特徴とする。
【００１６】
請求項３に記載のパワーコンディショナでは、入力電圧センサで検出される入力電圧が所定の省電力モード終了閾値電圧以上になると省電力モード制御が解除されるので、日の出に伴ってパワーコンディショナへの入力電圧が上昇すると、それに伴って省電力モード制御が解除されるようになる。
【００１７】
ここで、省電力モード終了閾値電圧は、パワーコンディショナの動作開始電圧（電力系統に連系可能な交流電力の出力が可能な最低入力電圧）未満となるように適宜設定される。すなわち、省電力モード制御は、入力電圧の上昇によってパワーコンディショナが動作を開始する前に解除されるように設定される。なお、この省電力モード終了閾値電圧は、省電力モード開始閾値電圧よりも高い値に設定される。
【発明の効果】
【００１８】
本発明に係るパワーコンディショナによれば、太陽電池発電部からの入力電圧が所定の省電力モード開始閾値電圧未満になると、制御部が買電電力の演算に必要なセンサと、太陽電池発電部の発電状況を把握するためのセンサのみに電源供給を行い、その他のセンサへの電源供給を停止する省電力モード制御を行うので、買電電力の演算と太陽電池発電部の発電状況の監視を行いながら電源供給が不要なセンサでの無駄な電力消費が抑制され、夜間における待機電力の少ないパワーコンディショナを提供することができる。
【００１９】
また、省電力モード制御時に入力電圧センサへの電源供給を間欠的に行うことにより、省電力モード制御時における入力電圧センサでの消費電力を低減でき、より待機電力の少ないパワーコンディショナを提供することができる。
【図面の簡単な説明】
【００２０】
【図１】本発明に係るパワーコンディショナを用いた太陽光発電システムの概略構成を示す回路図である。
【図２】同パワーコンディショナにおける省電力モード制御の処理手順を示すフローチャートである。
【図３】同パワーコンディショナにおける省電力モード制御の他の実施形態の処理手順を示すフローチャートである。
【発明を実施するための形態】
【００２１】
以下、本発明の実施形態を図面に基づいて説明する。
実施形態１
図１は、本発明に係るパワーコンディショナを用いた太陽光発電システムの概略構成を示している。この図１に示す太陽光発電システムは、太陽電池発電部１と、パワーコンディショナ２と、電力系統３とを主要部として構成されている。
【００２２】
太陽電池発電部１は、光エネルギを直流電力に変換する太陽電池（太陽電池セル）を用いた発電装置である。具体的には、この太陽電池発電部１は、太陽電池セルを必要枚配列してパッケージ化した太陽電池モジュールで構成されている。図示例では、太陽電池発電部１として１枚のモジュールを示しているが、複数枚の太陽電池モジュールを直列に接続して太陽電池アレイを構成するようにしてもよい。なお、太陽電池発電部１は、日当たりのよい場所、たとえば、住宅の屋根上などに設置される。
【００２３】
パワーコンディショナ２は、太陽電池発電部１で発電された直流電力を商用電力系統などの電力系統３に連系可能な交流電力に変換するための電力変換装置（系統連系インバータ装置）であって、このパワーコンディショナ２には、コンバータ部２１、インバータ部２２、系統連系スイッチ２３、制御部２４、操作部２５、表示部２６および制御電圧回路部２７が主要部として備えられている。
【００２４】
コンバータ部２１は、周知のとおり、太陽電池発電部１で発電された直流電力の電圧を所定の電圧まで昇圧するＤＣ／ＤＣコンバータ回路を備えて構成されている。本実施形態では、このコンバータ部２１には公知のコンバータ回路、たとえば昇圧プッシュプル型のコンバータ回路が用いられている。
【００２５】
インバータ部２２は、コンバータ部２１で昇圧された直流電力を電力系統３に連系可能な交流電力（たとえば、単相三線式の交流１００／２００Ｖ）に変換するＤＣ／ＡＣインバータ回路を備えて構成されている。本実施形態では、このインバータ部２２は公知のブリッジ型インバータ回路で構成されている。
【００２６】
そして、コンバータ部２１とインバータ部２２はＤＣリンクコンデンサ（ＤＣリンク部）２８を介して接続され、インバータ部２２の出力側が系統連系スイッチ２３を介して電力系統３に接続されている。系統連系スイッチ２３は、制御部２４によって制御されており、スイッチの接点を閉じることでパワーコンディショナ２を電力系統３に連系可能な状態にする一方、スイッチの接点を開くことでパワーコンディショナ２を電力系統から解列できるようになっている。
【００２７】
制御部２４は、パワーコンディショナ２の各部を制御する制御装置であって、制御中枢としてマイコン（図示せず）を備えている。この制御部２４は、パワーコンディショナ２の各部を制御するためにパワーコンディショナ２の内外に各種センサ類を備えており、これらセンサ類の検出結果に基づいてパワーコンディショナ２の制御を行うように構成されている。
【００２８】
具体的には、制御部２４は上記センサ類として、図示のように、コンバータ部２１への入力電圧（太陽電池発電部１の出力電圧）を検出する入力電圧センサ３１、コンバータ部２１への入力電流（太陽電池発電部１の出力電流）を検出する入力電流センサ３２、ＤＣリンク部２８の電圧を検出するＤＣリンク電圧センサ３３、インバータ部２２の出力電流を検出する出力電流センサ３４、電力系統３の電圧を測定する系統電圧センサ３５、太陽電池発電部１とコンバータ部２１との間の往復電流を監視する零相変流器（図示せず）などをパワーコンディショナ２の内部に備えるほか、パワーコンディショナ２の外部に電力系統３との間に流れる電流を測定する売買電力（買電電力）演算用の購入電流センサ（図示せず）を備えている。
【００２９】
そして、制御部２４は、パワーコンディショナ２の通常の制御として、入力電圧センサ３１で検出される入力電圧がパワーコンディショナ２の動作開始電圧Ｖon（たとえば、ＤＣ８０Ｖ）以上になると、パワーコンディショナ２の系統連系動作（具体的には、コンバータ部２１およびインバータ部２２を動作させ、系統連系スイッチ２３を閉じる処理）を行って、太陽電池発電部１で発電された電力を電力系統３に連系させる一方、入力電圧センサ３１で検出される入力電圧がパワーコンディショナ２の動作停止電圧Ｖoff（たとえば、ＤＣ７０Ｖ）未満になったときにはパワーコンディショナ２の解列動作（具体的には、コンバータ部２１およびインバータ部２２の動作を停止させ、系統連系スイッチ２３を開く処理）を行って太陽電池発電部１を電力系統３から解列させるように構成されている。なお、パワーコンディショナ２が系統連系動作中は、パワーコンディショナ２の出力電力が電力系統３と連系できるように、制御部２４は、コンバータ部２１およびインバータ部２２の動作を制御するようになっている。
【００３０】
また、制御部２４は、このようなパワーコンディショナ２の制御に加え、太陽電池発電部１の発電量、電力系統３への売電電力、電力系統３からの買電電力などを演算して、所定のモニタ装置４に表示させる機能を備えている。たとえば、太陽電池発電部１の発電量は、入力電圧センサ３１および入力電流センサ３２の検出結果に基づいて演算する。また、電力系統３への売電電力および電力系統３からの買電電力は、上記購入電流センサおよび系統電圧センサ３５の検出結果に基づいて演算する。なお、これら発電量や売買電力はいずれも制御部２４において積算可能であり、制御部２４はこれらの積算値も演算してモニタ装置４に表示できるように構成されている。
【００３１】
モニタ装置４は、制御部２４で演算される太陽電池発電部１の発電量、電力系統３への売電電力、電力系統３からの買電電力などを表示するための表示装置であって、このモニタ装置４としては、たとえば、文字や図形の表示が可能な液晶表示パネルなどが好適に用いられる。そして、モニタ装置４は、たとえば、居間や台所などユーザが見やすい場所（パワーコンディショナとは離れた場所）に配置されることから、制御部２４と有線または無線（図示例では、通信線５）で接続され、制御部２４で演算されたこれらの値が通信によってモニタ装置４に送信され、モニタ装置４に表示されるようになっている。なお、モニタ装置４での発電量等の表示に関連して、制御部２４にはモニタ装置４と通信するための通信手段（図示せず）が備えられている。
【００３２】
操作部２５は、制御部２４に対する各種コマンドを入力するための入力手段であって、複数の操作スイッチ（図示せず）を備えて構成されている。たとえば、パワーコンディショナ２の運転／停止の切替え（換言すれば、上述した制御部２４によるパワーコンディショナ２の通常の制御が可能な「運転」状態と、上記通常の制御が行われない「停止」状態の切替え）を行う運転スイッチや、後述する表示部２６の表示／表示停止を指示するための表示スイッチなどが備えられている。
【００３３】
表示部２６は、パワーコンディショナ２に備えられた表示装置であって、この表示部２６にも液晶表示パネルなどの表示装置が用いられる。なお、この表示部２６は、パワーコンディショナ２自体に備えられることから小型の表示装置で構成されており、この表示部２６にも上述した制御部２４での演算結果などが表示可能とされている。
【００３４】
制御電圧回路部２７は、パワーコンディショナ２の各部に駆動電力を供給する電源回路であって、周知のＤＣ／ＤＣコンバータで構成されている。この制御電圧回路部２７は、太陽電池発電部１が発電を行っているときは太陽電池発電部１側から電源供給（給電）を受ける一方、太陽電池発電部１の発電が停止しているときは電力系統３側から電源供給を受けるように構成されている。
【００３５】
具体的には、この制御電圧回路部２７には、該制御電圧回路部２７に電源供給を行うための給電路として、太陽電池発電部１が発電を行っているときに太陽電池発電部１側から電源供給を行う第１給電路（昼間用給電路）４１と、太陽電池発電部１が発電停止状態にあるときに電力系統３側から電源供給を行う第２給電路（夜間用給電路）４２とが備えられている。なお、ここで、太陽電池発電部１の発電停止状態とは、太陽電池発電部１での発電が完全に停止している場合だけでなく、太陽電池発電部１の出力電圧（パワーコンディショナ２への入力電圧）がパワーコンディショナ２の動作停止電圧Ｖoff未満である場合を含む意である（以下、同様）。
【００３６】
第１給電路４１は、コンバータ部２１の出力電圧を制御電圧回路部２７に供給するように配線されている。第１給電路４１に介装されたダイオード４３は、第２給電路４２から供給される電流がコンバータ部２１に逆流するのを防止するための逆流阻止用のダイオードである。
【００３７】
第２給電路４２は、電力系統３からの出力電圧を制御電圧回路部２７に供給するように配線されており、この第２給電路４２には、電力系統３側から順に、第２給電路４２の電路の短絡／開放の切替えを行う電路開放手段４４、第２給電路４２を介した給電（夜間給電）を行うための夜間給電スイッチ４５、電力系統３から供給される交流電力を直流電力に変換する整流回路部４６および第１給電路４１から供給される電流が電力系統３側（具体的には整流回路４６）に逆流するのを防止する逆流阻止用のダイオード４７が備えられている。
【００３８】
電路開放手段４４は、パワーコンディショナ２を複数台併設する場合に、モニタ装置４が接続されないパワーコンディショナ２（つまり、子機となるパワーコンディショナ２）に対して電力系統３側からの夜間給電を行わないように設定するためのものであって、本実施形態では、第２給電路４２に着脱自在に装備されるコネクタ（たとえば、短絡ピンなどのコネクタ装置）で構成され、手動操作によって取り外すことにより第２給電路４２を開放状態にできるようになっている。すなわち、この電路開放手段４４は、パワーコンディショナ２をモニタ装置４が接続される親機として使用する場合には第２給電路４２の電路を短絡させるように装着される。一方、子機として使用する場合には第２給電路４２の電路を開放するように取り外すようになっている。
【００３９】
なお、この電路開放手段４４は第２給電路４２に備えられていればよく、たとえば、夜間給電スイッチ４５の下流側に備えられていてもよい。また、電路開放手段４４は、手動操作によって第２給電路４２の電路の短絡／開放の切り替えができればよく、着脱自在のコネクタ装置に代えて、手動操作によって電路の短絡／開放の切り替えを行うスイッチ回路で構成することも可能である。
【００４０】
夜間給電スイッチ４５は、太陽電池発電部１の発電が停止した時に、制御電圧回路部２７が電力系統３側から給電を受けられるようにするためのスイッチ回路であって、この夜間給電スイッチ４５は、太陽電池発電部１の出力電圧が動作停止電圧Ｖoff未満となったことを制御部２４が検出したときに、制御部２４による制御によって接点が閉じられるように構成されている。
【００４１】
なお、整流回路部４６は、周知のブリッジダイオード回路で構成されている。
【００４２】
次に、このように構成されたパワーコンディショナ２における省電力モード制御について、図２に基づいて説明する。図２は、省電力モード制御の処理手順を示している。
【００４３】
本実施形態に示すパワーコンディショナ２は、上述したように、太陽電池発電部１が発電を行っていない夜間には制御電圧回路部２７が電力系統３側から電源供給を受けるように構成されている。
【００４４】
そして、この夜間において電力系統３側から制御電圧回路部２７が電源供給を受けているとき、制御部２４は、入力電圧センサ３１で検出される入力電圧を監視し、この入力電圧を所定の省電力モード開始閾値電圧（省電開始閾値）Ｖａと比較する（図２ステップＳ１参照）。
【００４５】
そして、入力電圧が所定の省電力モード開始閾値電圧Ｖａ未満になると（図２ステップＳ１が「Ｙｅｓ」になると）、制御部２４は、制御電圧回路部２７に対して、買電電力の演算に必要なセンサ（系統電圧センサ３５と購入電流センサ）および太陽電池発電部１の発電状況の監視に必要なセンサ（入力電圧センサ３１）への電源供給の継続と、その他のセンサ（具体的には、入力電流センサ３２、ＤＣリンク電圧センサ３３、出力電流センサ３４および零相変流器）への電源供給の停止を指示する制御（省電力モード制御）を実行する。これにより、入力電圧センサ３１、系統電圧センサ３５および購入電流センサを除くその他のセンサへの電源供給が停止される（図２ステップＳ２参照）。
【００４６】
このように、買電電力の演算に必要なセンサと太陽電池発電部１の発電状況の監視に必要なセンサを残して他のセンサへの電源供給を停止させることにより、夜間においても買電電力の演算・表示機能を維持しつつ、電源供給が不要なセンサ（センサ回路を含む）での電力消費を削減し、待機電力を抑制することができる。
【００４７】
ここで、上記省電力モード開始閾値電圧Ｖａは、パワーコンディショナ２の動作停止電圧Ｖoff以下となるように設定される。これにより、入力電圧の低下によってパワーコンディショナ２が動作を停止した後に省電力モード制御が実行されるようになる。なお、この省電力モード開始閾値電圧Ｖａは、パワーコンディショナ２の動作停止電圧Ｖoffよりも低い値としておくのが好ましく、本実施形態では、たとえば、ＤＣ６８Ｖに設定される。
【００４８】
そして、日の出によって入力電圧が上昇し、入力電圧が所定の省電力モード終了閾値電圧（省電終了閾値）Ｖｂ以上になると（図２ステップＳ３が「Ｙｅｓ」になると）、制御部２４は、省電力モード制御を解除して通常の制御に復帰する。これにより、電源供給が停止されていたセンサ（具体的には、入力電流センサ３２、ＤＣリンク電圧センサ３３、出力電流センサ３４および零相変流器）への電源供給が再開される（図２ステップＳ４参照）。
【００４９】
ここで、上記省電力モード終了閾値電圧Ｖｂは、パワーコンディショナ２の動作開始電圧Ｖon未満となるように設定される。これにより、入力電圧の上昇によってパワーコンディショナ２が動作を開始する前に省電力モード制御が解除されるようになる。なお、この省電力モード終了閾値電圧Ｖｂは、省電力モード開始閾値電圧Ｖａよりも高い値（たとえば、ＤＣ７０Ｖ）に設定される。
【００５０】
このように、本実施形態に示すパワーコンディショナによれば、太陽電池発電部１からの入力電圧が所定の省電力モード開始閾値電圧Ｖａ未満になると、制御部２４が買電電力の演算に必要なセンサと、太陽電池発電部１の発電状況を把握するためのセンサのみに電源供給を行い、その他のセンサへの電源供給を停止する省電力モード制御を行うので、買電電力の演算と太陽電池発電部１の発電状況の監視を行いながら電源供給が不要なセンサでの無駄な電力消費が抑制される。したがって、夜間における待機電力の少ないパワーコンディショナを提供することができる。
【００５１】
実施形態２
次に、本発明の第２の実施形態について、図３に基づいて説明する。図３は、省電力モード制御の他の実施形態の処理手順を示している。
【００５２】
本実施形態に示すパワーコンディショナ２は、上述した実施形態１に示すパワーコンディショナ２における省電力モード制御の改変例を示している。具体的には、省電力モード制御において、入力電圧センサ３１への電源供給の態様を変更している。その他の構成は上述した実施形態１と共通するので、構成が共通する部分については同一の符号を付して説明を省略する。
【００５３】
本実施形態に示すパワーコンディショナ２においても、上述したように、太陽電池発電部１が発電を行っていない夜間には制御電圧回路部２７が電力系統３側から電源供給を受けるようになっている。
【００５４】
そして、この夜間において電力系統３側から制御電圧回路部２７が電源供給を受けているとき、制御部２４は、入力電圧センサ３１で検出される入力電圧を監視し、この入力電圧を所定の省電力モード開始閾値電圧（省電開始閾値）Ｖａと比較する（図３ステップＳ１参照）。
【００５５】
そして、入力電圧が所定の省電力モード開始閾値電圧Ｖａ未満になると（図３ステップＳ１が「Ｙｅｓ」になると）、制御部２４は、制御電圧回路部２７に対して、買電電力の演算に必要なセンサ（系統電圧センサ３５と購入電流センサ）および太陽電池発電部１の発電状況の監視に必要なセンサ（入力電圧センサ３１）への電源供給の継続と、その他のセンサ（具体的には、入力電流センサ３２、ＤＣリンク電圧センサ３３、出力電流センサ３４および零相変流器）への電源供給の停止を指示する制御（省電力モード制御）を実行する。これにより、入力電圧センサ３１、系統電圧センサ３５および購入電流センサを除くその他のセンサへの電源供給が停止される（図３ステップＳ２参照）。
【００５６】
ここで、本実施形態では、入力電圧センサ３１に電源供給を行うにあたり、入力電圧センサ３１への電源供給を間欠的に行うように構成している。具体的には、入力電圧センサ３１に対する電源供給を一定周期で電源オン／オフを繰り返すように行い、電源オンの期間に入力電圧センサ３１で入力電圧の検出を行うように構成する。たとえば、５００ｍ秒間電源オンを継続した後に４．５秒間電源オフを継続するといったパターンを繰り返すように構成する。
【００５７】
図３ステップＳ３は、この間の電源オフの期間を示しており、このオフ期間が一定期間継続すると（図３ステップＳ４が「Ｙｅｓ」になると）、入力電圧センサ３１に対する電源をオンとする（図３ステップＳ５参照）。
【００５８】
そして、この電源オン期間中の入力電圧の検出にあたっては、電源がオンされた当初の一定期間（たとえば、３００ｍ秒程度の期間）は入力電圧の検出を行わず、残りの２００ｍ秒の間に入力電圧の検出を行うように構成する。ここで、当初の一定期間は入力電圧の検出を行わないのは、センサの動作が安定するのを待つためである。
【００５９】
そして、日の出によって入力電圧が上昇し、入力電圧が所定の省電力モード終了閾値電圧Ｖｂ以上になると（図３ステップＳ６が「Ｙｅｓ」になると）、制御部２４は、省電力モード制御を解除して通常の制御に復帰する。これにより、電源供給が停止されていたセンサ（具体的には、入力電流センサ３２、ＤＣリンク電圧センサ３３、出力電流センサ３４および零相変流器）への電源供給が再開される（図２ステップＳ７参照）。
【００６０】
このように、本実施形態に示すパワーコンディショナによれば、太陽電池発電部１からの入力電圧が所定の省電力モード開始閾値電圧Ｖａ未満になると、制御部２４が買電電力の演算に必要なセンサと、太陽電池発電部１の発電状況を把握するためのセンサのみに電源供給を行い、その他のセンサへの電源供給を停止する省電力モード制御を行うので、買電電力の演算と太陽電池発電部１の発電状況の監視を行いながら電源供給が不要なセンサでの無駄な電力消費が抑制される。しかも、その際に、入力電圧センサへの電源供給が間欠的に行われるので、省電力モード制御時における入力電圧センサでの消費電力が低減され、さらに待機電力の少ないパワーコンディショナを提供することができる。
【００６１】
なお、上述した実施形態は本発明の好適な実施態様を示すものであって、本発明はこれに限定されることなく発明の範囲内で種々の設計変更が可能である。
【００６２】
たとえば、上述した実施形態において、省電力モード制御時に電源供給を停止させるセンサとして、入力電流センサ３２、ＤＣリンク電圧センサ３３、出力電流センサ３４および零相変流器を示したが、制御部２４がこれら以外のセンサを備えている場合には、当該センサに対する電源供給も停止するように構成することができる。また、省電力モード制御時の制御としては、センサへの電源供給のみを停止させる構成を採用してもよいし、センサとともにセンサ回路への電源供給を停止させる構成を採用してもよい。要は、買電電力の演算に必要なセンサと太陽電池発電部１の発電状況の監視に必要なセンサにだけ電源を供給することで、センサによる電力消費が低減されるようになっていればよい。
【００６３】
また、上述した実施形態では、省電力モード制御時に買電電力の演算に必要なセンサと太陽電池発電部１の発電状況の監視に必要なセンサ以外のセンサに対する電源供給を停止する場合を示したが、このときに電源供給を停止するものとしてセンサ以外の電気負荷（たとえば、パワーコンディショナ２の親機が子機と通信を行うための通信回路など）に対する電源供給の停止を含めることも勿論可能である。
【符号の説明】
【００６４】
１              太陽電池発電部
２              パワーコンディショナ
３              電力系統
４              モニタ装置
２１            コンバータ部
２２            インバータ部
２３            系統連系スイッチ
２４            制御部
２５            操作部
２６            表示部
２７            制御電圧回路部
２８            ＤＣリンク部
４１            第１給電路（昼間用給電路）
４２            第２給電路（夜間用給電路）
４４            電路開放手段
【図１】
2015104234.tif 000003
【図２】
2015104234.tif 000004
【図３】
2015104234.tif 000005